(57)【特許請求の範囲】
【請求項１】
幅とこの幅に直交する長さを有し、前記長さ方向に印画領域と非印画領域とが並べられた用紙を前記長さ方向に搬送する搬送部と、
前記搬送される前記用紙を、前記印画領域と前記非印画領域とに分けて切断するカッター装置と、
前記カッター装置の下方に配置され、該カッター装置によって切断され落下する前記非印画領域である切断片を収容する切断片収容部と、
前記カッター装置の下方で前記切断片収容部よりも前記用紙の搬送方向の下流側に配置され、前記カッター装置によって切断され落下する前記印画領域である印画物を収容する印画物収容部とを備えるプリンタであって、
前記切断片収容部は、前記カッター装置により前記用紙の切断が行なわれる切断箇所の下方かつ該切断箇所よりも前記搬送方向の下流側の箇所で前記用紙の前記幅方向と平行する軸心回りに揺動可能に設けられた揺動板を含んで構成され、
前記揺動板を、その上縁が前記切断箇所よりも前記搬送方向の下流側に位置し前記切断片の前記切断片収容部への落下を許容する第１の揺動位置と、その上縁が前記切断箇所よりも前記搬送方向の上流側に位置し前記印画物を前記印画物収容部に案内する第２の揺動位置とに揺動させる揺動機構が設けられている、
ことを特徴とするプリンタ。
【請求項２】
前記揺動板は、前記切断片収容部の前記搬送方向の下流側を仕切ると共に、前記印画物収容部の前記搬送方向上流側を仕切る壁板として機能する、
ことを特徴とする請求項１記載のプリンタ。
【請求項３】
前記揺動板は、前記第１の揺動位置において、略鉛直となる第１の板部と、前記第１の板部の下端から搬送方向の上流側に延在し前記カッター装置によって切断され落下する前記切断片を受け取る第２の板部とを有し、
前記揺動機構は、前記第１の揺動位置において、前記第１の板部の上縁を前記切断箇所よりも搬送方向の下流側に位置させて前記切断片の前記切断片収容部への落下を許容し、前記第２の揺動位置において、前記第１の板部の上縁を前記切断箇所よりも搬送方向の上流側に位置させて前記第１の板部が前記印画物を前記印画物収容部に案内する、
ことを特徴とする請求項１記載のプリンタ。
【請求項４】
前記切断片収容部は、前記切断箇所の下方に位置する底板を含んで構成されている、
ことを特徴とする請求項１記載のプリンタ。
【請求項５】
前記切断片収容部は、前記切断箇所の下方に位置する底板と、前記揺動板よりも前記搬送方向の上流側の前記底板の箇所から立設された起立板を含んで構成されている、
ことを特徴とする請求項１記載のプリンタ。
【請求項６】
前記筐体と、前記印画物を収容する排紙トレーとをさらに備え、
前記排紙トレーは前記筐体に装脱可能に装着され、
前記揺動板は前記排紙トレーに設けられている、
ことを特徴とする請求項１記載のプリンタ。
【請求項７】
前記筐体と、前記印画物を収容する排紙トレーとをさらに備え、
前記排紙トレーは底板を有し前記筐体に装脱可能に装着され、
前記切断片収容部は、前記切断箇所の下方に位置する底板を含んで構成され、
前記揺動板は、前記排紙トレーに設けられ、
前記揺動板は、前記第１の揺動位置において、前記切断片収容部の底板に対して直角に起立する第１の板部と、前記第１の板部の下端から搬送方向の上流側に延在し前記カッター装置によって切断され落下する前記切断片を受け取る第２の板部とを有し、
前記揺動機構は、前記第１の揺動位置において、前記第１の板部の上縁を前記切断箇所よりも搬送方向の下流側に位置させて前記切断片の前記切断片収容部への落下を許容し、前記第２の揺動位置において、前記第１の板部の上縁を前記切断箇所よりも搬送方向の上流側に位置させて前記第１の板部が前記印画物を前記印画物収容部に案内し、
前記切断片収容部の底板は、前記排紙トレーの底板と前記第２の板部とで構成され、
前記排紙トレーの底板には、前記揺動板の揺動時に前記第２の板部が通過する欠部が設けられている、
ことを特徴とする請求項１記載のプリンタ。
【請求項８】
前記筐体と、前記印画物を収容する排紙トレーとをさらに備え、
前記排紙トレーは前記筐体に装脱可能に装着され、
前記揺動機構は、搬送される用紙の幅方向と平行する軸心回りに揺動可能に前記排紙トレーで支持された可動部材を含んで構成され、
前記揺動板は、該揺動板の当接部と前記可動部材の当接部とが当接した状態で前記可動部材が揺動されることで前記第１の揺動位置と前記第２の揺動位置との間を揺動し、かつ、前記第１の揺動位置に位置した前記揺動板の上縁よりもその上縁が前記搬送方向の下流側に位置した第３の揺動位置となるように前記可動部材に揺動可能に連結され、
前記揺動板の当接部と前記可動部材との当接部とを常時と当接する方向に付勢するスプリングが設けられ、
前記揺動板の前記第１の揺動位置から前記第３の揺動位置への揺動は、指の操作で前記スプリングの付勢力に抗して行なわれる、
ことを特徴とする請求項１記載のプリンタ。
【請求項９】
前記揺動機構は、回転駆動されるカムと、前記揺動板から突設され前記カムに係合離間可能なカムフォロアと、前記カムフォロアを前記カムに係合する方向に付勢するスプリングとを含んで構成され、
前記揺動板は、前記カムフォロアが前記カムの揺動用カム部に係合することで前記第１の揺動位置と前記第２の揺動位置との間を揺動し、
前記揺動板が前記第２の揺動位置に位置したか否かを検出する検出機構が設けられている、
ことを特徴とする請求項１記載のプリンタ。
【請求項１０】
前記揺動板は、前記カッター装置の切断による前記切断片の落下時に前記第１の揺動位置に揺動され、前記カッター装置の切断による前記印画物の落下時に前記第２の揺動位置に揺動される、
ことを特徴とする請求項１記載のプリンタ。
【発明の詳細な説明】
【技術分野】
【０００１】
本発明はプリンタに関し、より詳細には、カッター装置によって切断された非印画領域である切断片を収容する切断片収容部と、カッター装置によって切断された印画領域である印画物を収容する印画物収容部とを備えるプリンタに関する。
【背景技術】
【０００２】
近年、プリンタとして、高い画質で印画できコスト面で有利なロール紙を用いるものが提供されている。
ロール紙は長尺状の記録用紙を巻芯となる紙管にロール状に巻いたものであるため、印画の度に必要量を引き出して給送し、印画が終了した記録用紙を規定の大きさに切断する必要がある。
言い換えると、記録用紙には、印画領域と非印画領域とが交互に並べられて形成されるので、記録用紙を印画領域と非印画領域とに分けて切断する必要がある。
したがって、このようなプリンタは、カッター装置と、カッター装置によって切断された非印画領域である切断片を収容する切断片収容部と、カッター装置によって切断された印画領域である印画物を収容する印画物収容部とを備えている。
また、ロール紙を用いるプリンタに限らず、縁無し印画を可能とするプリンタは、不要な非印画領域を後工程で切断する必要があり、上述したロール紙を用いるプリンタの場合と同様に、カッター装置、切断片収容部、印画物収容部を備えている。
そして、従来のプリンタでは、カッター装置によって切断された印画物をカッター装置と排紙トレーとの間に配置された排紙ローラにより排紙トレーへ搬送すると共に、切断片と印画物との搬送路をフラップを用いて分離するようにしている（特許文献１、２参照）。
【特許文献１】特開２００１−１３９２１２
【特許文献２】特開２００３−３２６７８３
【発明の開示】
【発明が解決しようとする課題】
【０００３】
しかしながら、上記従来のプリンタでは、カッター装置と排紙トレーとの間に排紙ローラを設けることから、排紙ローラに加えてこの排紙ローラを駆動させる駆動機構が必要となるため、プリンタの部品点数の削減および小型化を図る上で不利があった。
本発明はこのような事情に鑑みなされたものであり、その目的は切断された印画物と切断片とを確実に分離しつつ構成を簡素し小型化を図る上で有利なプリンタを提供することにある。
【課題を解決するための手段】
【０００４】
上述の目的を達成するため、本発明は、幅とこの幅に直交する長さを有し、前記長さ方向に印画領域と非印画領域とが並べられた用紙を前記長さ方向に搬送する搬送部と、前記搬送される前記用紙を、前記印画領域と前記非印画領域とに分けて切断するカッター装置と、前記カッター装置の下方に配置され、該カッター装置によって切断され落下する前記非印画領域である切断片を収容する切断片収容部と、前記カッター装置の下方で前記切断片収容部よりも前記用紙の搬送方向の下流側に配置され、前記カッター装置によって切断され落下する前記印画領域である印画物を収容する印画物収容部とを備えるプリンタであって、前記切断片収容部は、前記カッター装置により前記用紙の切断が行なわれる切断箇所の下方かつ該切断箇所よりも前記搬送方向の下流側の箇所で前記用紙の前記幅方向と平行する軸心回りに揺動可能に設けられた揺動板を含んで構成され、前記揺動板を、その上縁が前記切断箇所よりも前記搬送方向の下流側に位置し前記切断片の前記切断片収容部への落下を許容する第１の揺動位置と、その上縁が前記切断箇所よりも前記搬送方向の上流側に位置し前記印画物を前記印画物収容部に案内する第２の揺動位置とに揺動させる揺動機構が設けられていることを特徴とする。
本発明では、揺動板が第１の揺動位置と第２の揺動位置との間で揺動される。
そして、揺動板が第１の揺動位置に揺動され、カッター装置によって非印画領域が切断され、切断片は下方の切断片収容部に落下して収容される。
また、揺動板が第２の揺動位置に揺動され、カッター装置によって印画領域が切断され、印画物は下方に落下し揺動板に案内されて印画物収容部に収容される。
【発明の効果】
【０００５】
本発明のプリンタによれば、切断された印画物と切断片とを、簡易な構成により確実に分離できる。
【発明を実施するための最良の形態】
【０００６】
次に、本発明の実施の形態について図面を参照して説明する。
まず、本実施の形態のプリンタ１０の基本的な構成について説明する。
図１は本実施の形態のプリンタ１０の構成を示す断面図、図２は排紙トレー２６の装着状態を示すプリンタ１０の斜視図、図３は排紙トレー２６の取り外し状態を示すプリンタ１０の斜視図である。
本実施の形態では、プリンタ１０は、昇華式サーマルプリンタであり、インクリボンに塗布された昇華性染料を昇華させて記録用紙上に転写させて印画を行うものである。
【０００７】
図２、図３に示すように、プリンタ１０は筐体１２を有し、筐体１２の上面にトレー収容凹部１２０２が形成され、このトレー収容凹部１２０２に排紙トレー２６が装脱可能に取り付けられる。
トレー収容凹部１２０２に収容された排紙トレー２６に臨む筐体１２箇所に排紙口１３が設けられている。
図１に示すように、筐体１２に、記録用紙収容部１４、搬送部１６、インクリボンカセット収容部１８、プラテンローラ２０、プリントヘッド２２、カッター装置２４などが組み込まれている。
記録用紙収容部１４は、幅とこの幅に直交する長さを有する記録用紙２が巻芯となる紙管に長さ方向においてロール状に巻回された記録用紙（ロール紙）２を収容するものであり、筐体１２に設けられた図示しない装填口を介してロール状の記録用紙２が記録用紙収容部１４に収容される。
搬送部１６は、記録用紙収容部１４に収容されたロール状の記録用紙２から引き出された記録用紙２を搬送路４に沿ってプリントヘッド２２を経由してカッター装置２４に導く正方向に搬送し、また、これとは逆に、搬送路４の記録用紙２をロール状の記録用紙２に巻き取る逆方向に搬送するものである。
なお、以下の説明では、搬送方向とは記録用紙２が正方向に搬送される方向をいう。
本実施の形態では、搬送路４のうち記録用紙収容部１４からプリントヘッド２２に至る搬送路部分がほぼ水平方向に延在し、この搬送路部分に接続されプリントヘッド２２からカッター装置２４に至る搬送路部分がＵ字状に湾曲され１８０度折り返された折り返し部４Ａとして構成されている。
このように搬送路４に折り返し部４Ａを設けることにより、筐体１２内のスペースを有効活用でき筐体１２の小型化を図れることは無論のこと、排紙トレー２６を筐体１２のデッドスペースである上面に配置できるため筐体１２の設置スペースを縮小する上でも有利となっている。
搬送部１６は、記録用紙２をその厚さ方向で挟持しつつ正方向あるいは逆方向に回転することで記録用紙２を正方向あるいは逆方向に搬送するピンチローラ１６Ａおよびキャプスタン１６Ｂ、複数のガイドローラ１６Ｃおよびガイド部材１６Ｄなどを備えている。
【０００８】
インクリボンカセット収容部１８は、インク色ごとに色分けされインクリボン８を収容したインクリボンカセット６を装脱可能に収容するものである。
インクリボンカセット６内のインクリボン供給リール６Ａから引き出されたインクリボン８は、図示しないガイドローラに案内されてプラテンローラ２０とプリントヘッド２２の間を通り、インクリボンカセット６内のインクリボン巻取りリール６Ｂに巻き取られる。
プラテンローラ２０とプリントヘッド２２は、搬送路４を挟んで対向して設けられている。
プラテンローラ２０はその外周面に記録用紙２が接触しており、記録用紙２を挟んだプラテンローラ２０の反対側にはインクリボン６が位置し、したがって、インクリボン６は記録用紙２とプリントヘッド２２との間に介在している。
プリントヘッド２２は、プラテンローラ２０に近接することでプラテンローラ２０と協働してインクリボン６を記録用紙２に圧接させる印画位置と、プラテンローラ２０から離間してインクリボン６の記録用紙２への圧接を解除するスタンバイ位置との間で移動するように構成されている。
記録用紙２を搬送部１６により搬送しつつプリントヘッド２２を印画位置に位置させて、プリントヘッド２２の複数の発熱素子を階調データに基づいて選択的に通電駆動することでインクリボン６の昇華性染料を昇華させ記録用紙２上に転写させることにより印画がなされる。
本実施の形態では、プリントヘッド２２をスタンバイ位置に位置させた状態で搬送部１６により記録用紙２を正方向に一定量搬送したのち、プリントヘッド２２を印画位置に位置させた状態で搬送部１６により記録用紙２を逆方向に一定量搬送しつつプリントヘッド２２を駆動して印画を行う。
【０００９】
記録用紙２をピンチローラ１６Ａおよびキャプスタン１６Ｂで挟持して記録用紙２を逆方向に搬送しつつ印画を行い印画領域を形成するが、この際に以下に示す理由により印画領域と印画領域との間に記録用紙２の幅方向の全長にわたって印画がなされない非印画領域が生じる。
したがって、記録用紙２の長さ方向に印画領域と非印画領域とが交互に並べられて形成されることになる。
非印画領域が生じる理由について説明すると、記録用紙２の印画に際しては、いったん記録用紙２を印画領域に相当する長さに非印画領域を形成するための所定長（例えば数ｍｍ）を加えた長さ分、正方向に搬送したのち、記録用紙２を逆方向に搬送しつつプリントヘッド２２によって印画を行う。
これは、記録用紙２の搬送方向の先端からプリントヘッド２２が外れるとプリントヘッド２２にダメージが加わるため、所定長の長さの非印画領域を確保することによりプリントヘッド２２が記録用紙２の搬送方向の先端から外れることを防止しているのである。
【００１０】
カッター装置２４は排紙口１３に設けられ、記録用紙２を印画領域と非印画領域とに分けて切断するものであり、カッター装置２４によって切断された記録用紙２の印画領域は印画物２８となり、カッター装置２４によって切断された記録用紙２の非印画領域は切断片３０となる。
カッター装置２４は、図８に示すように、回転軸を中心に回転しつつ記録用紙２の幅方向に移動する円形の回転刃２４０２と、回転刃２４０２の移動軌跡上で記録用紙２の幅方向に延在する固定刃２４０４とを含んで構成され、回転刃２４０２が固定刃２４０４に接しつつ回転し移動することで記録用紙２が切断される。なお、カッター装置２４の構成は、カッターを回転させる回転方式に限定されず従来公知のさまざまな構造が採用可能である。
本実施の形態では、回転刃２４０２が固定刃２４０４に接しつつ回転し移動する箇所が、カッター装置２４により記録用紙２の切断が行われる切断箇所３６となる。
【００１１】
次に本発明の要部について説明する。
図４は揺動板４０の第１の揺動位置を示す排紙トレー２６の斜視図、図５は揺動板４０の第３の揺動位置を示す排紙トレー２６の斜視図、図６は揺動板４０、可動部材４８および揺動機構５４の斜視図、図７は揺動板４０、可動部材４８の斜視図である。
図８は揺動板４０の第１の揺動位置を示す説明図、図９は揺動板４０の第２の揺動位置を示す説明図である。
図１０は揺動板４０の第１の揺動位置で印画物２８を切断した説明図、図１１は揺動板４０を第２の揺動位置から第１の揺動位置に揺動して印画物２８を印画物収容部３４に収容した説明図である。
図１２は切断片収容部３２が空の状態での揺動板４０の第１の揺動位置を示す説明図、図１３は切断片収容部３２が満杯の状態での揺動板４０の第１の揺動位置を示す説明図である。
【００１２】
図８に示すように、カッター装置２４の下方に切断片３０を収容する切断片収容部３２が設けられ、また、カッター装置２４の下方で切断片収容部３２よりも搬送方向の下流側に印画物２８を収容する印画物収容部３４が設けられている。
本実施の形態では、排紙トレー２６に切断片収容部３２と印画物収容部３４とが、該排紙トレー２６がトレー収容凹部１２０２に対して装脱される方向に並べられて設けられている。言い換えると、切断片収容部３２は、排紙トレー２６をトレー収容凹部１２０２に装着する際に装着方向の先頭に位置する排紙トレー２６部分に設けられ、排紙トレー２６がトレー収容凹部１２０２に装着された状態で、印画物収容部３４は、切断片収容部３２よりも搬送方向の下流側に位置する。
また、排紙トレー２６は幅とこの幅よりも大きな寸法の長さとを有し、排紙トレー２６がトレー収容凹部１２０２に対して装脱される方向が排紙トレー２６の長さ方向となっており、切断片収容部３２と印画物収容部３４は、それぞれ排紙トレー２６の幅方向の全長にわたって延在している。
【００１３】
切断片収容部３２は上方に開放状に設けられ、底板３３と、揺動板４０と、起立板４２とを含んで構成されている。
底板３３は、切断箇所３６の下方に位置している。
揺動板４０は、カッター装置２４により記録用紙２の切断が行なわれる切断箇所３６の下方かつ該切断箇所３６よりも搬送方向の下流側の箇所で記録用紙２の幅方向と平行する軸心回りに揺動可能に設けられている。
揺動板４０は、切断片収容部３２の搬送方向の下流側を仕切ると共に、印画物収容部３４の搬送方向上流側を仕切る壁板として機能する。
揺動板４０は、揺動機構５４によって、カッター装置２４の切断による切断片３０の落下時に、揺動板４０を、その上縁が切断箇所３６よりも搬送方向の下流側に位置し切断片３０の切断片収容部３２への落下を許容する第１の揺動位置（図８）に揺動され、カッター装置２４の切断による印画物２８の落下時に、揺動板４０を、その上縁が切断箇所３６よりも搬送方向の上流側に位置し印画物３０を印画物収容部３４に案内する第２の揺動位置（図９）に揺動される。
【００１４】
揺動板４０は、図８に示すように、第１の揺動位置において、底板３３から直角に起立する（ほぼ鉛直に起立する）第１の板部４４と、第１の板部４４の下端から搬送方向の上流側に延在しカッター装置２４によって切断され落下する切断片３０を受け取る第２の板部４６とを有している。
本実施の形態では、図８に示すように、第１の板部４４の上縁が、第１の揺動位置において、切断箇所３６よりも搬送方向の下流側に位置し、切断片３０の切断片収容部３２への落下を許容し、また、図９に示すように、第１の板部４４の上縁が、第２の揺動位置において、切断箇所３６よりも搬送方向の上流側に位置し、第１の板部４４が印画物２８を印画物収容部３４に案内する。
第２の板部４６は、図６に示すように、第１の板部４４の下端に接続し揺動板４０の幅方向の全長に延在する基板部４６０２と、基板部４６０２の幅方向に間隔をおいた複数個所から突出する第１突出片部４６０４と、それら第１突出片部４６０４の先端から上方に突出する第２突出片部４６０６とを含んで構成されている。
排紙トレー２６の底板２６１０には、揺動板４０が第１の揺動位置と第２の揺動位置へ揺動できるように、第１突出片部４６０４、第２突出片部４６０６が底板２６１０の上下に移動できる欠部２６１２が設けられている。
本実施の形態では、図４、図８に示すように、切断片収容部３２の底板３３は、排紙トレー２６の底板２６１０と第２の板部４６とで構成されている。
【００１５】
本実施の形態では、揺動機構５４は、搬送される記録用紙２の幅方向と平行する軸心回りに揺動可能に排紙トレー２６で支持された可動部材４８を含んで構成されている。
揺動板４０は、揺動板４０の当接部と可動部材４８の当接部とが当接した状態で可動部材４８が揺動されることで第１の揺動位置と第２の揺動位置との間を揺動し、かつ、第１の揺動位置に位置した揺動板４０の上縁よりもその上縁が搬送方向の下流側に位置した第３の揺動位置（図５）となるように可動部材４８に揺動可能に連結されている。
可動部材４８は、排紙トレー２６の幅方向の全長にわたって延在し、図６乃至図１３に示すように、揺動板４０の基板部４６０２の下面に沿って延在する横板部４８０２と、横板部４８０２の両側から起立するフランジ部４８０４とを有している。
揺動板４０は、図７に示すように、幅方向の両端から突設された支軸４００２がフランジ４８０４の軸受け孔４８１０に回転可能に挿入されることで可動部材４８に支持されている。
また、可動部材４８の両フランジ部４８０４から突設された支軸５０が排紙トレー２６の側壁２６０２（図４）の軸受け孔に回転可能に挿入され、これにより可動部材４８および揺動板４０は排紙トレー２６により揺動可能に支持されている。
本実施の形態では、互いに当接する揺動板４０の当接部が基板部４６０２の下面で構成され、可動部材４８の当接部が横板部４８０２の上面で構成されている。
そして、揺動板４０と可動部材４８との間に、それら揺動板４０の当接部（基板部４６０２の下面）と可動部材４８の当接部（横板部４８０２の上面）とを常時当接する方向に付勢するねじりスプリング５２が設けられている。
ねじりスプリング５２は、支軸４００２に巻装され、ねじりスプリング５２の一端が揺動板４０に係止され、他端がフランジ部４８０４に係止されることで、揺動板４０は基板部４６０２が横板部４８０２に常に当接した状態に付勢され、これにより可動部材４８の揺動により揺動板４８が第１の揺動位置と第２の揺動位置との間で可動部材４８と一体に揺動する。
また、揺動板４０の第１の揺動位置から第３の揺動位置への揺動は、指の操作でねじりスプリング５２の付勢力に抗して行なわれる。
【００１６】
図８に示すように、可動部材４８の横板部４８０２の上面で搬送方向の下流側に位置する端部には、揺動板４０が第１の揺動位置と第３の揺動位置との間で揺動できるように、より詳細には、支軸４００２を支点として揺動板４０の第１の板部４４の下端が揺動できるように欠部４８０６が設けられている。
揺動板４０を第１の揺動位置から第３の揺動位置に揺動させると、図５に示すように、第２の板部４６で受け取った切断片３０が第２の板部４６により持ち上げられ、切断片収容部３２に収容された切断片３０の取り除きが簡単に行えるように図られている。
本実施の形態では、第３の揺動位置において、揺動板４０は第１の板部４４が排紙トレー２６の底板２６１０と平行に延在する水平状態となり、第２の板部４６上に収容され溜まった切断片３０の一部は、第１の板部４４から排紙トレー２６の底板２６１０上に滑り落ちる。その際、倒された第１の板部４４の長さ方向の中央部に臨む排紙トレー２６の底板の箇所に凹部２６２０（図１２）が設けられ、指により切断片３０を取り出しやすいように図られている。
【００１７】
次に、揺動板４０と可動部材４８とを揺動する揺動機構５４の構成について説明する。
揺動機構５４は、図８に示すように、カム５６、カムフォロア５８、コイルスプリング６０などを含んで構成されている。
カム５６は、図６に示すように、筐体１２側で支持された回転軸６２の長手方向に間隔をおいた２箇所にそれぞれ取着されている。
カム５６は、図８に示すように、基礎円部５６０２と、揺動用カム部５６０４とを有している。
本実施の形態では、プリントヘッド２２を前記のスタンバイ位置と印画位置とに移動させるカムが設けられており、このカムが取着された回転軸６２に前記のカム５６が取着され、構成の簡素化、小型化、コストダウンが図られている。
カム５６は、図８に示すように、トレー収容凹部１２０２に排紙トレー２６が装着された状態で、切断片収容部３２の下方に位置する箇所に設けられている。
【００１８】
カムフォロア５８は、可動部材４８の横板部４８０２の長手方向に間隔をおいた２箇所からそれぞれ下方に突設されている。
なお、図５に示すように、排紙トレー２６の底板２６１０には、カム５６に追従したカムフォロア５８の揺動を許容する欠部２６１４が設けられている。
コイルスプリング６０は、図８に示すように、排紙トレー２６の下面先端の係止片２６２０と、可動部材４８の下面から突設された係止片４８１０との間に張設され、カムフォロア５８を常時カム５６に係合する方向に付勢している。
また、本実施の形態では、コイルスプリング６０は、可動部材４８の搬送方向下流端における横板部４８０２の下面の幅方向の端部を、底板２６１０の上面に常時当接する方向に付勢している。なお、この可動部材４８の搬送方向下流端における横板部４８０２の下面の幅方向の端部が、底板２６１０の上面に当接した可動部材４８の揺動位置が、揺動板４０が第２の揺動位置から第１の揺動位置に向かう方向における可動部材４８の揺動限界位置となる。
【００１９】
切断片３０の切断時には、図８に示すように、カム５６の基礎円部５６０２がカムフォロア５８から離間することで、コイルスプリング６０の付勢力により横板部４８０２の幅方向の端部と底板２６１０とが当接し、揺動板４０の上縁が切断箇所３６よりも搬送方向の下流側に位置し切断片３０の切断片収容部３２への落下を許容する第１の揺動位置となる。
また、印画物２８の切断時には、図９に示すように、カム５６の揺動カム部５６０４がカムフォロア５８に接触することで、カム５６の回転によりカムフォロア５８が揺動され、これにより、揺動板４０の上縁が切断箇所３６よりも搬送方向の上流側に位置し印画物２８を印画物収容部３４に案内する第２の揺動位置となる。
【００２０】
また、揺動板４０が第２の揺動位置に位置したか否かを検出する検出機構６１が設けられている。
検出機構６１は、図６、図１２、図１３に示すように、複数の第２突出片部４６０６のうちの１つの第２突出片部４６０６から突設された検知片６２と、筐体１２側に設けられ揺動板４０が第２の揺動位置に位置した際に検知片６２の有無を検出する光検出器６４とを含んで構成されている。
すなわち、切断片収容部３２に切断片３０が収容されていない状態、あるいは、切断片３０の量が所定量以下であれば、可動部材４８により揺動板４０が第１の揺動位置から第２の揺動位置に揺動されると、図１２に示すように、揺動板４０の基板部４６０２が可動部材４８の横板部４８０２に当接した状態を保持しつつ検知片６２が光検出器６４の検知光を遮断した状態となり、光検出器６４の検出信号はオンとなる。
また、切断片収容部３２に収容される切断片３０が所定量を超過した状態で、可動部材４８により揺動板４０が第１の揺動位置から第２の揺動位置方向に揺動されると、揺動板４０の第１の板部４４と起立板４２との間に収容された切断片３０によって第１の板部４４が搬送方向下流側に押圧されることにより、揺動板４０がねじりスプリング５２の付勢力に抗して可動部材４８に対して変位される。したがって、揺動板４０は、第２の揺動位置まで揺動されず第２の揺動位置の手前で留まることになり、揺動板４０の基板部４６０２が可動部材４８の横板部４８０２から離間する方向に変位し、したがって、検知片６２が光検出器６４の検知光から外れた状態となり、光検出器６４の検出信号はオフとなる。
【００２１】
したがって、揺動板４０を第２の揺動位置に揺動した時点における光検出器６４の検出信号に基づいて切断片収容部３２に収容される切断片３０が満杯であるか否かを検知することができ、このような検知動作に基づいて切断片収容部３２の満杯を警告する報知をプリンタ１０によって行うことができる。プリンタ１０による報知動作は、例えば、プリンタ１０に設けられたディスプレイや表示ランプを用いた表示で行ったり、あるいは、ブザーやスピーカーなどを鳴動させて音声で行ったり、あるいは、プリンタ１０に接続されたホスト装置（パーソナルコンピュータ）などに満杯である旨の警告情報を与えなど種々考えられ、従来公知のさまざまな警報報知の方法が採用可能である。
なお、本実施の形態では、揺動板４０の第１突出片部４６０４、第２突出片部４６０６が、排紙トレー２６の底板２６１０の欠部２６１２を介して底板２６１０の上下に移動するため、図８に示す揺動板４０の第１の揺動位置における切断片収容部３２の容積に対して、図９に示す揺動板４０の第２の揺動位置における切断片収容部３２の容積が小となる。
したがって、切断片収容部３２の容積がより小さい状態で切断片収容部３２の切断片３０の満杯検知が可能となり、満杯検知を確実に行う上で有利となっている。
【００２２】
次に、プリンタ１０による排紙動作の第１の形態について説明する。
予め、排紙トレー６２がトレー収容凹部１２０２に収容されているものとする。
印画領域と非印画領域が形成された記録用紙２が搬送部１６により搬送路４に沿ってカッター装置２４に向けて搬送され、非印画領域が切断箇所３６から搬送方向下流側に突出された状態となる。
次いで、揺動機構５４により揺動板４０が第２の揺動位置から図８に示す第１の揺動位置に揺動されたならば、カッター装置２４によって非印画領域が切断される。
これにより、切断片３０は下方の切断片収容部３２に落下して収容される。
次いで、揺動機構５４により揺動板４０が図９に示す第２の揺動位置に位置された状態で、搬送部１６により記録用紙２が搬送され印画領域が切断箇所３６から搬送方向下流側に突出された状態となる。
次いで、カッター装置２４によって印画領域が切断される。
これにより、印画物２８は下方に落下して印画物収容部３４に収容される。
この際、印画物２８の搬送方向下流側の端部が傾斜した揺動板４０に当接することにより、印画物２８は、揺動板４０の傾斜に沿って印画物収容部３４方向に案内される。
なお、非印画領域の切断時に揺動機構５４により揺動板４０が第２の揺動位置から第１の揺動位置に揺動されると、印画物２８の端部は揺動板４０によって印画物収容部３４に動かされ印画物収容３４に確実に収容される。
【００２３】
次に、プリンタ１０による排紙動作の第２の形態について説明する。
まず、図８に示すように、揺動板４０の第１の揺動位置において記録用紙２の非印画領域がカッター装置２４により切断された切断片３０が切断片収容部３２に収容される。
次に、図１０に示すように、揺動板４０が第１の揺動位置に保持されたままで、記録用紙２の印画領域がカッター装置２４によって切断される。
これにより、印画物２８は下方に落下するが、印画物２８の搬送方向下流側の端部は揺動板４０の上縁に載った状態となる。
ここで、揺動機構５４により揺動板４０が第１の揺動位置から第２の揺動位置に揺動されると、図９に示すように、印画物２８の搬送方向下流側の端部が傾斜した揺動板４０に当接した状態となり、印画物２８は、揺動板４０の傾斜に沿って印画物収容部３４方向に案内される。
そして、揺動機構５４により揺動板４０が第２の揺動位置から第１の揺動位置に揺動されると、図１１に示すように、印画物２８の端部は揺動板４０によって印画物収容部３４に動かされ印画物収容３４に確実に収容される。
【００２４】
切断片収容部３２から切断片３０を取り出す際には、図３に示すように、揺動板４０が排紙口１３の外側に露出されるように、筐体１２から排紙トレー２６をトレー収容凹部１２０２から搬送方向下流側に引き出し、図５に示すように、揺動板４０をねじりスプリング５２の付勢力に抗して第１の揺動位置から第３の揺動位置に揺動させる。
これにより、切断片収容部３２に収容された切断片３０が第２の板部４６から第１の板部４４に移るので、倒された第１の板部４４の長さ方向の中央部に臨む排紙トレー２６の凹部２６２０に指を挿入して切断片３０を取り出せばよい。
この際、排紙トレー２６をトレー収容凹部１２０２から完全に取り外す必要は無く、揺動板４０の操作ができるように、言い換えると、揺動板４０が排紙口１３の外側に露出されるに足る寸法だけ、筐体１２から排紙トレー２６をトレー収容凹部１２０２から搬送方向下流側に引き出せばよいため、使い勝手の向上を図る上で有利となる。
【００２５】
以上説明したように本実施の形態によれば、揺動機構５４によって、揺動板４０の上縁が切断箇所３６よりも搬送方向の下流側に位置しカッター装置２４によって切断された切断片３０の切断片収容部３２への落下を許容する第１の揺動位置と、揺動板４０の上縁が切断箇所３６よりも搬送方向の上流側に位置しカッター装置２４によって切断された印画物２８を印画物収容部３４に案内する第２の揺動位置との間で揺動される。
したがって、切断された印画物２８と切断片３０とを、簡易な構成の揺動板４０により確実に分離できる。
このため、従来必要であった、印画物２８を排紙するためにカッター装置２４の搬送方向下流側に設けていた排紙ローラおよび該排紙ローラの駆動機構が不要となるため、プリンタ１０の部品点数の削減および小型化を図る上で極めて有利となる。
【００２６】
また、本実施の形態では、揺動板４０を可動部材４８を介在させて配設し、揺動板４０を第３の揺動位置に揺動できるように構成したことで、切断片収容部３２に収容された切断片３０を容易に取り出すことができ、使い勝手の向上を図る上で有利となる。
また、本実施の形態では、揺動板４０が第２の揺動位置に位置したか否かを検出する検出機構６１により、切断片収容部３２に収容された切断片３０の満杯検知を行うことができるため、切断片収容部３２に収容された切断片３０を排除するタイミングを効果的に使用者に知らせることができ、使い勝手の向上を図る上で有利となる。
【００２７】
なお、本実施の形態では、揺動板４０と可動部材４８とが別部材で構成されている場合について説明したが、揺動板４０と可動部材４８とが一体化されていてもよい。
また、本実施の形態では、揺動機構５４を、カム５６、カムフォロア５８、コイルスプリング６０で構成した場合について説明したが、揺動機構５４としてリンク機構や歯車機構を用いるなど従来公知のさまざまな構造が採用可能である。
また、本実施の形態では、切断片収容部３２、印画物収容部３４、揺動板４０が排紙トレー２６に設けられている場合について説明したが、切断片収容部３２、印画物収容部３４、揺動板４０は、プリンタ１０の筐体１２に直接設けられていてもよい。
【図面の簡単な説明】
【００２８】
【図１】本実施の形態のプリンタ１０の構成を示す断面図である。
【図２】排紙トレー２６の装着状態を示すプリンタ１０の斜視図である。
【図３】排紙トレー２６の取り外し状態を示すプリンタ１０の斜視図である。
【図４】揺動板４０の第１の揺動位置を示す排紙トレー２６の斜視図である。
【図５】揺動板４０の第３の揺動位置を示す排紙トレー２６の斜視図である。
【図６】揺動板４０、可動部材４８および揺動機構５４の斜視図である。
【図７】揺動板４０、可動部材４８の斜視図である。
【図８】揺動板４０の第１の揺動位置を示す説明図である。
【図９】揺動板４０の第２の揺動位置を示す説明図である。
【図１０】揺動板４０の第１の揺動位置で印画物２８を切断した説明図である。
【図１１】揺動板４０を第２の揺動位置から第１の揺動位置に揺動して印画物２８を印画物収容部３４に収容した説明図である。
【図１２】切断片収容部３２が空の状態での揺動板４０の第１の揺動位置を示す説明図である。
【図１３】切断片収容部３２が満杯の状態での揺動板４０の第１の揺動位置を示す説明図である。
【符号の説明】
【００２９】
２……記録用紙、１０……プリンタ、１６……搬送部、２４……カッター装置、２８……印画物、３０……切断片、３２……切断片収容部、３４……印画物収容部、３３……底板、４０……揺動板、４２……起立板、５４……揺動機構。
【図１】
0005082896.tif 000002
【図２】
0005082896.tif 000003
【図３】
0005082896.tif 000004
【図４】
0005082896.tif 000005
【図５】
0005082896.tif 000006
【図６】
0005082896.tif 000007
【図７】
0005082896.tif 000008
【図８】
0005082896.tif 000009
【図９】
0005082896.tif 000010
【図１０】
0005082896.tif 000011
【図１１】
0005082896.tif 000012
【図１２】
0005082896.tif 000013
【図１３】
0005082896.tif 000014